(57)【要約】【課題】編成パターンが不定期な番組の番組情報を事前に取得し、ユーザに、その番組の番組名及び放送予定日時だけでなく、次回放送予定日時もあわせて表示する記録再生装置を提供する。【解決手段】ＨＤＤレコーダ１において、番組情報検索プログラム１４４ａ及び不定期番組記憶プログラム１４４ｂの実行により、複数の番組情報から不定期番組の番組情報を検索して不定期番組テーブル１４６に記憶し、異日時放送検索プログラム１４４ｕ、更新記憶プログラム１４４ｗの実行により、その番組情報と放送予定日時のみ異なる番組識別情報を検索し、その検索された番組識別情報の放送予定日時は、不定期番組テーブル１４６の「放送予定日時」「次回放送予定日時」の何れかとして更新記憶する。そして、リスト表示制御プログラム１４４ｉの実行により、不定期番組の番組情報と、「放送予定日時」「次回放送予定日時」と、をリストとして一覧表示させる。【選択図】図１
2010056862.tif 000002
【特許請求の範囲】
【請求項１】
放送局から送出されるテレビジョン放送信号に基づくデジタル放送データを記録し、記録されたデジタル放送データを再生する記録再生装置において、
テレビジョン放送信号に重畳された複数の番組情報を抽出する抽出手段と、
前記抽出手段により抽出された複数の番組情報から、編成パターンが不定期に設定された番組情報を検索する番組情報検索手段と、
前記番組情報検索手段により検索された番組情報を記憶部に記憶する番組情報記憶手段と、
前記抽出手段により抽出された複数の番組情報から、前記記憶部に記憶された番組識別情報と放送予定日時のみ異なる番組情報を検索する異日時放送検索手段と、    
前記記憶部に記憶された番組情報と対応付けて、前記異日時放送検索手段により検索された放送予定日時を前記記憶部に記憶する更新記憶手段と、
前記記憶部に記憶された番組情報と、当該番組情報と対応付けられ、前記異日時放送検索手段により検索された放送予定日時とを、所定の表示手段に一覧表示させるリスト表示制御手段と、
を備えることを特徴とする記録再生装置。
【請求項２】
請求項１記載の記録再生装置において、
前記記憶部に記憶された番組情報に対応するデジタル放送データのダビング回数に関する保護方式情報を記憶する保護方式情報記憶手段と、
前記テレビジョン放送信号から、前記記憶部により記憶された番組情報と同じ番組情報を備えたデジタル放送データを受信する受信手段と、
前記受信手段により受信されたデジタル放送データが、所定の複数回のダビングが可能な保護方式のデジタル放送データであるか否かを判断する判断手段と、
前記判断手段による判断に基づいて、前記保護方式情報を生成し、前記保護方式情報記憶手段に記憶させる生成手段と、を備え、
前記リスト表示制御手段は、さらに、
前記記憶部により記憶された番組情報に、前記保護方式情報記憶手段に記憶された保護方式情報を対応付けて、一覧表示させることを特徴とする記録再生装置。
【請求項３】
放送局から送出されるテレビジョン放送信号に基づくデジタル放送データを記録し、記録されたデジタル放送データを再生する記録再生装置において、
テレビジョン放送信号に重畳された複数の番組情報を抽出する抽出手段と、
前記抽出手段により抽出された複数の番組情報から、編成パターンが不定期に設定された番組情報を検索する番組情報検索手段と、
前記番組情報検索手段により検索された番組情報を記憶部に記憶する番組情報記憶手段と、
前記抽出手段により抽出された複数の番組情報から、前記記憶部に記憶された番組識別情報と放送予定日時のみ異なる番組情報を検索する異日時放送検索手段と、    
前記記憶部に記憶された番組情報と対応付けて、前記異日時放送検索手段により検索された放送予定日時を前記記憶部に記憶する更新記憶手段と、
前記記憶部に記憶された番組情報と、当該番組情報に対応付けられ、前記異日時放送検索手段により検索された放送予定日時とを、所定の表示手段に一覧表示させるリスト表示制御手段と、
前記記憶部に記憶された番組情報に対応するデジタル放送データのダビング回数に関する保護方式情報を記憶する保護方式情報記憶手段と、
前記テレビジョン放送信号から、前記記憶部により記憶された番組情報と同じ番組情報を備えたデジタル放送データを受信する受信手段と、
前記受信手段により受信されたデジタル放送データが、所定の複数回のダビングが可能な保護方式のデジタル放送データであるか否かを判断する判断手段と、
前記判断手段による判断に基づいて、前記保護方式情報を生成し、前記保護方式情報記憶手段に記憶させる生成手段と、を備え、
前記リスト表示制御手段は、さらに、
前記記憶部に記憶された番組情報に、前記保護方式情報記憶手段に記憶された保護方式情報を対応付けて、一覧表示させることを特徴とする記録再生装置。
【発明の詳細な説明】
【技術分野】
【０００１】
本発明は、記録再生装置に関する。
【背景技術】
【０００２】
近年、映画作品を専門に放送する放送局等で用いられているように、番組の編成パターンが不定期（例えば、週／隔週に一回放送される等の一定の規則性を有さない番組の編成パターン）で、同一番組又は同一シリーズに属する複数の番組が放送される場合がある。
【０００３】
ところで、デジタル放送の放送電波より電子番組ガイドを作成し、その電子番組ガイドから把握される所定の番組情報に基づいて、シリーズ番組の各話ごとの番組名や放送日時等を一覧表示できる映像録画装置が知られている（例えば、特許文献１参照）。
【０００４】
また、番組表を外部電子媒体やネットワークを介して取得し、ユーザにより番組が録画予約されると、その録画対象の番組と同じ題名を持つ番組を番組表より抽出して予約することで、定期あるいは不定期に放送される連続番組を予約できる映像音声信号記録装置が知られている（例えば、特許文献２参照）。
【特許文献１】特開２００７−３００４１２号公報
【特許文献２】特開平１０−３３６５３３号公報
【発明の開示】
【発明が解決しようとする課題】
【０００５】
しかしながら、特許文献１記載の発明においては、上記のような編成パターンが不定期な同一番組又は同一シリーズに属する複数の番組について、編成パターンの不定期性を認識できないため、シリーズ番組の所定の話数における番組情報を取得できても、次回以降の話数の放送予定日時の判断に誤りが生ずる等によって、次回以降の番組情報を取得出来ない可能性があり、適切にシリーズ番組の各話ごとの番組名や放送日時等が一覧表示出来ないおそれがある。
さらに、特許文献２記載の発明においても、ユーザが録画予約した番組が偶発的に不定期な編成パターンを有する連続番組であっても録画することは可能であるが、編成パターンの不定期性を認識できないため、ユーザにその連続番組の編成パターンが不定期であることを報知することが出来ず、その連続番組の次回放送予定日時等を予め表示する手段もないので、その連続番組が全て録画されるまで、ユーザは他の番組の録画予約を行う上で所定の制限を受けるおそれがある。
【０００６】
そこで、本発明の課題は、編成パターンが不定期な番組の番組情報を事前に取得し、ユーザに、その番組の番組名及び放送予定日時だけでなく、次回放送予定日時もあわせて表示する記録再生装置を提供することにある。
【課題を解決するための手段】
【０００７】
上記課題を解決するため、請求項１に記載の発明は、
放送局から送出されるテレビジョン放送信号に基づくデジタル放送データを記録し、記録されたデジタル放送データを再生する記録再生装置において、
テレビジョン放送信号に重畳された複数の番組情報を抽出する抽出手段と、
前記抽出手段により抽出された複数の番組情報から、編成パターンが不定期に設定された番組情報を検索する番組情報検索手段と、
前記番組情報検索手段により検索された番組情報を記憶部に記憶する番組情報記憶手段と、
前記抽出手段により抽出された複数の番組情報から、前記記憶部に記憶された番組識別情報と放送予定日時のみ異なる番組情報を検索する異日時放送検索手段と、    
前記記憶部に記憶された番組情報と対応付けて、前記異日時放送検索手段により検索された放送予定日時を前記記憶部に記憶する更新記憶手段と、
前記記憶部に記憶された番組情報と、当該番組情報と対応付けられ、前記異日時放送検索手段により検索された放送予定日時とを、所定の表示手段に一覧表示させるリスト表示制御手段と、を備えることを特徴とする。
【０００８】
請求項２に記載の発明は、請求項１記載の記録再生装置において、
前記記憶部に記憶された番組情報に対応するデジタル放送データのダビング回数に関する保護方式情報を記憶する保護方式情報記憶手段と、
前記テレビジョン放送信号から、前記記憶部により記憶された番組情報と同じ番組情報を備えたデジタル放送データを受信する受信手段と、
前記受信手段により受信されたデジタル放送データが、所定の複数回のダビングが可能な保護方式のデジタル放送データであるか否かを判断する判断手段と、
前記判断手段による判断に基づいて、前記保護方式情報を生成し、前記保護方式情報記憶手段に記憶させる生成手段と、を備え、
前記リスト表示制御手段は、さらに、
前記記憶部により記憶された番組情報に、前記保護方式情報記憶手段に記憶された保護方式情報を対応付けて、一覧表示させることを特徴とする。
【０００９】
請求項３に記載の発明は、
放送局から送出されるテレビジョン放送信号に基づくデジタル放送データを記録し、記録されたデジタル放送データを再生する記録再生装置において、
テレビジョン放送信号に重畳された複数の番組情報を抽出する抽出手段と、
前記抽出手段により抽出された複数の番組情報から、編成パターンが不定期に設定された番組情報を検索する番組情報検索手段と、
前記番組情報検索手段により検索された番組情報を記憶部に記憶する番組情報記憶手段と、
前記抽出手段により抽出された複数の番組情報から、前記記憶部に記憶された番組識別情報と放送予定日時のみ異なる番組情報を検索する異日時放送検索手段と、    
前記記憶部に記憶された番組情報と対応付けて、前記異日時放送検索手段により検索された放送予定日時を前記記憶部に記憶する更新記憶手段と、
前記記憶部に記憶された番組情報と、当該番組情報に対応付けられ、前記異日時放送検索手段により検索された放送予定日時とを、所定の表示手段に一覧表示させるリスト表示制御手段と、
前記記憶部に記憶された番組情報に対応するデジタル放送データのダビング回数に関する保護方式情報を記憶する保護方式情報記憶手段と、
前記テレビジョン放送信号から、前記記憶部により記憶された番組情報と同じ番組情報を備えたデジタル放送データを受信する受信手段と、
前記受信手段により受信されたデジタル放送データが、所定の複数回のダビングが可能な保護方式のデジタル放送データであるか否かを判断する判断手段と、
前記判断手段による判断に基づいて、前記保護方式情報を生成し、前記保護方式情報記憶手段に記憶させる生成手段と、を備え、
前記リスト表示制御手段は、さらに、
前記番組情報記憶手段により記憶された番組情報に、前記保護方式情報記憶手段に記憶された保護方式情報を対応付けて、一覧表示させることを特徴とする。
【発明の効果】
【００１０】
本発明に係る記録再生装置によれば、複数の番組情報からデジタル放送データの編成パターンが不定期に設定された番組情報を検索して記憶し、その番組情報と放送予定日時のみ異なる番組識別情報を検索して記憶し、その番組情報を備えるテレビジョン放送情報の二つの放送予定日時（放送予定日時及び次回放送予定日時）を番組名とともにリストとして一覧表示することが出来る。
したがって、編成パターンが不定期な番組の番組情報を事前に取得し、ユーザに、その番組の番組名及び放送予定日時だけでなく、次回放送予定日時もあわせて表示する記録再生装置であると言える。
【発明を実施するための最良の形態】
【００１１】
以下、図を参照して、本発明に係る記録再生装置の実施形態を詳細に説明する。なお、発明の範囲は、図示例に限定されない。
【００１２】
図１に示すように、記録再生装置としてのＨＤＤ（Ｈａｒｄ  Ｄｉｓｋ  Ｄｒｉｖｅ）レコーダ１は、テレビジョン受像機２００と接続されており、デジタル放送データを受信し、そのデジタル放送データから所定の放送チャンネルに選局するチューナ部３と、チューナ部３から出力されたデジタル放送データにおける映像データから同期信号を分離する分離部４と、分離部４から入力されたデジタル放送データ或いはディスクドライブ８に記録されたデジタル放送データから、それらデジタル放送データの番組情報の抽出等を行う抽出部５と、デジタル放送データに対して所定の圧縮処理を行うエンコーダ６と、デジタル放送データの入出力経路を設定して、エンコーダ６から入力されたデジタル放送データをディスクドライブ８に送給するとともに、ディスクドライブ８から取り込んだデジタル放送データを装置の各部に出力するデータプロセッサ７と、デジタル放送データを記憶するディスクドライブ８と、ディスクドライブ８又は分離部４から出力されたデジタル放送データに所定の復元処理を行うデコーダ１０と、デコーダ１０から出力されたデジタル放送データに対して所定の信号出力処理を行う出力インターフェース部１１と、デジタル放送データにおける映像データに対してＯＳＤデータを付加するＯＳＤ（Ｏｎ  Ｓｃｒｅｅｎ  Ｄｉｓｐｌａｙ）回路１２と、リモコン部２からの入力操作信号を受信するとともに、その入力操作信号を制御部１４に出力するリモコン信号受光部１３と、ＨＤＤレコーダ１の各部を統括制御する制御部１４と、装置各部を接続する制御バス１５と、現在時刻を計時する計時部１６と、ディスクドライブ８に記録されたデジタル放送データを記録媒体（ＤＶＤ）にコピー処理するＤＶＤドライブ１８と、等を備えて構成され、映像データや音声データ等から成るデジタル放送データを、ディスクドライブ８に記録するとともに、その記録されたデジタル放送データの再生を行う。
【００１３】
チューナ部３は、例えば、高周波増幅回路と、局部発振回路及び混合回路から成る周波数変換回路等（図示省略）を備えて構成されるデジタルチューナであり、各ネットワーク（放送種別）のデジタル放送（地上デジタル放送、ＢＳデジタル放送、１１０度ＣＳデジタル放送）を、アンテナ等を介してデジタル放送データとして受信可能である。つまり、チューナ部３によると、映像データ、音声データ、ＰＳＩ（Ｐｒｏｇｒａｍ Ｓｐｅｃｉｆｉｃ Ｉｎｆｏｒｍａｔｉｏｎ：番組特定情報）／ＳＩ（Ｓｅｒｖｉｃｅ Ｉｎｆｏｒｍａｔｉｏｎ：番組配列情報）からなるデジタル放送データと、局部発振回路から出力される局部発振信号と、を混合回路により混合し、そのデジタル放送データの周波数を選局するための制御部１４からの制御出力に応じて、特定周波数帯のデジタル放送データを受信する。  
また、チューナ部３は、受信したデジタル放送データを所定の中間周波数を有するＩＦ（中間周波：Ｉｎｔｅｒｍｅｄｉａｔｅ Ｆｒｅｑｕｅｎｃｙ）信号に変換して分離部４に出力する。
また、チューナ部３は、特定のネットワークよりデジタル放送データを受信する際に、選択されているネットワークの名称に関する所定の信号をＣＰＵ１４２に出力する。
【００１４】
ここで、デジタル放送データのＰＳＩ／ＳＩは、各放送番組に関する番組情報（例えば、「放送チャンネル」、「放送局名」、「番組名」、「終了時期」、「放送予定日時」等）を含んだ情報である。また、番組情報がシリーズ番組に関するものであれば、シリーズ番組の編成パターンを表す「編成パターン」を、番組情報を構成するデータ項目として保有しており、この「編成パターン」が「不定期」と記載されている番組情報を保有する番組を不定期番組とする。
具体的には、ＰＳＩは、例えば、ＰＭＴ（Ｐｒｏｇｒａｍ  Ｍａｐ  Ｔａｂｌｅ）、ＰＡＴ（Ｐｒｏｇｒａｍ  Ａｓｓｏｃｉａｔｉｏｎ  Ｔａｂｌｅ）、ＮＩＴ（Ｎｅｔｗｏｒｋ  Ｉｎｆｏｒｍａｔｉｏｎ  Ｔａｂｌｅ）、ＣＡＴ（Ｃｏｎｄｉｔｉｏｎａｌ  Ａｃｃｅｓｓ  Ｔａｂｌｅ）等のテーブルから構成されており、このＰＭＴ内に著作権保護方式（例えば、ダビング１０方式、コピーワンス方式、コピーネバー方式、コピーフリー方式）を識別する記述子が記載されている。
また、ＳＩは、ＳＤＴ（Ｓｅｒｖｉｃｅ  Ｄｅｓｃｒｉｐｔｉｏｎ  Ｔａｂｌｅ）、ＥＩＴ（Ｅｖｅｎｔ  Ｉｎｆｏｒｍａｔｉｏｎ  Ｔａｂｌｅ）、ＢＡＴ（Ｂｏｕｑｕｅｔ  Ａｓｓｏｃｉａｔｉｏｎ  Ｔａｂｌｅ）、ＴＤＴ（Ｔｉｍｅ  Ｄａｔｅ  Ｔａｂｌｅ）等の各種テーブル等が含まれている。
【００１５】
分離部４は、放送信号であるデジタル放送データを抽出部５に出力するとともに、チューナ部３より入力されたＩＦ信号からデジタル放送データを構成する映像データと音声データを分離し、分離した映像データから、同期信号を分離して装置の各部に出力する。
この同期信号に基づいて、ディスクドライブ８又はＤＶＤドライブ１８におけるデジタル放送データの記録、再生等が行われる際の同期がとられることとなる。
【００１６】
抽出部５は、後述するＣＰＵ１４２からの制御出力に基づいて、分離部４より入力されたデジタル放送データから番組情報としてのＰＳＩ／ＳＩを抽出するとともに、ディスクドライブ８又はＤＶＤドライブ１８に記録されたデジタル放送データからの番組情報の抽出も行う抽出手段である。
【００１７】
エンコーダ６は、例えば、ビデオエンコーダと、オーディオエンコーダ等（図示省略）を備えて構成されている。
ビデオエンコーダは、デジタル放送データを構成する映像データをＭＰＥＧ（Ｍｏｔｉｏｎ Ｐｉｃｔｕｒｅ Ｅｘｐｅｒｔ Ｇｒｏｕｐ）方式に従って圧縮し、オーディオエンコーダは、デジタル放送データを構成する音声データをＭＰＥＧオーディオ方式に従って圧縮する。
そして、このエンコーダ６において生成されたデジタル放送データは、データプロセッサ７を介してディスクドライブ８又はＤＶＤドライブ１８に出力されることになる。
【００１８】
データプロセッサ７は、後述するＣＰＵ１４２からの制御出力に基づいて、デジタル放送データの入出力経路を設定し、データの入力及び出力を制御する。
具体的には、例えば、ユーザによるリモコン部２の操作によりディスクドライブ８又はＤＶＤドライブ１８に対する記録の指示がなされた場合には、エンコーダ６から入力されたデジタル放送データをディスクドライブ８又はＤＶＤドライブ１８に出力する。
【００１９】
ディスクドライブ８は、ＡＲＩＢ（Ａｓｓｏｃｉａｔｉｏｎ  ｏｆ  Ｒａｄｉｏ Ｉｎｄｕｓｔｒｉｅｓ  ａｎｄ  Ｂｒｏａｄｃａｓｔ）規格に準拠した磁気ディスクドライブであり、ユーザのリモコン部２における録画操作に応じて、受信したデジタル放送データを記録し、例えば、内蔵されたハードディスク（図示省略）と、ハードディスクに対するデータの記憶或いはハードディスクに記憶されたデータの読み出しを行う磁気ヘッド（図示省略）と、ハードディスクを回転駆動させるとともに、磁気ヘッドをハードディスクの半径方向に移動させるための駆動部（図示省略）等を備えて構成されている。ハードディスクは、非磁性体のディスク基板（図示省略）と、その上に設けられた磁性層（図示省略）と、を備えて成り、磁気ヘッドとハードディスクとの間に、電流を供給することにより磁界を発生する微小なギャップを有している。
また、ディスクドライブ８は、記録したそれぞれのデジタル放送データについて履歴情報（例えば、記録日時、視聴の有無、コピー処理（ダビング）された回数等の情報）を記憶している。
【００２０】
デコーダ１０は、例えば、図示は省略するが、ビデオデコーダと、オーディオデコーダ等を備えて構成されている。
ビデオデコーダは、映像データをＭＰＥＧ方式に従って復元し、オーディオデコーダは、音声データをＭＰＥＧオーディオ方式に従って復元する。
このデコーダ１０において生成されたデジタル放送データは、再生処理においては出力インターフェース部１１に出力されることとなる。
【００２１】
出力インターフェース部１１は、例えば、映像出力部１１ａと音声出力部１１ｂと、図示しないＤ／Ａ変換器等を備え、再生処理においてデコーダ１０から入力されるデジタル放送データに対して各種の出力インターフェース処理を施し、ＮＴＳＣ方式やＰＡＬ方式等のテレビジョン受像機２００に適合した映像データ、音声データに変換する。具体的には、Ｄ／Ａ変換器は、出力がアナログである場合に、デコーダ１０より入力されたデジタルのデジタル放送データをアナログデータに変換する。
この出力インターフェースにおいて生成されたデジタル放送データに基づく情報である映像や音声は、ＨＤＤレコーダ１に接続されたテレビジョン受像機２００の表示画面２００ａやスピーカ（図示省略）にそれぞれ出力されることとなる。
なお、出力インターフェース部１１は、テレビジョン受像機２００とともにＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）規格に準拠した端子を備えるインターフェースとして、映像データ及び音声データを同一のＨＤＭＩケーブルにより出力するものであっても良い。
【００２２】
ＯＳＤ回路１２は、デジタル放送データを構成する映像データに対して、ＲＯＭ１４４に格納された図示しないＯＳＤデータを合成する処理を行う。
【００２３】
リモコン部２は、例えば、ＨＤＤレコーダ１に対して遠隔操作を行うリモートコントロール装置（リモコン）であり、ディスクドライブ８にデジタル放送データを記録するための「録画ボタン」と、記録されたデジタル放送データを再生等するための「再生ボタン」と、等を備えており、それぞれのボタンやキーの押下に応じて所定の入力操作信号をリモコン信号受光部１３に送信するように構成されている。さらに、リモコン部２は、青色、赤色、緑色、黄色の各カラーボタンと、テレビ受像機２００の表示画面２００ａ上でカーソルを上下又は左右に移動させる「カーソルボタン」と、ユーザによるリモコン部２の所定の操作結果を反映させる「決定」キーと、メニュー画面の呼び出し／終了等を行う「メニュー」キーと、表示画面２００ａに表示されている画面の前画面表示切換え等を行う「戻る」キーと、等を備えており、上記ボタン／キーはテレビ受像機２００の表示画面２００ａに表示される画面に応じて異なる押下機能を発揮するようになっている。
つまり、各表示画面とその表示画面における各ボタン／キーの機能を対応付けたボタン／キー機能テーブル（図示省略）がＲＯＭ１４４に記憶されており、ＣＰＵ１４２は、リモコン信号受光部１３を介してリモコン部２からの入力操作信号を入力すると、表示画面２００ａに表示されている画面と、ユーザにより入力操作されたボタン／キーの種類に対応した入力操作処理を実行するように制御されている。この表示画面２００ａに表示されている画面に応じたボタン／キーの機能は、各画面のボタン／キー機能説明部５００ａ〜５１０ａにてユーザに報知される。
【００２４】
リモコン信号受光部１３は、リモコン部２に備わる各種ボタン／キーがユーザによって押下操作されると、リモコン部２より出力される赤外線等の入力操作信号を受信し、その入力操作信号をＣＰＵ１４２に対して出力する。
【００２５】
制御部１４は、ＣＰＵ（Ｃｅｎｔｒａｌ  Ｐｒｏｃｅｓｓｉｎｇ  Ｕｎｉｔ）１４２と、記憶部１４３と、ＲＯＭ（Ｒｅａｄ Ｏｎｌｙ Ｍｅｍｏｒｙ）１４４等を備えて構成されている。
【００２６】
ＣＰＵ１４２は、ＨＤＤレコーダ１の各部を介して入力された入力信号や、リモコン部２の各種キーの押下操作によってリモコン信号受光部１３を介して入力された入力操作信号等に応じて、ＲＯＭ１４４に格納された各種プログラムを実行するとともに、実行にかかるプログラムに基づいて装置の各部に出力信号を出力することによって、ＨＤＤレコーダ１の動作全般を統括制御する。
【００２７】
記憶部１４３は、ＣＰＵ１４２により実行される処理プログラム等を展開するためのプログラム格納領域（図示省略）や、入力データや処理プログラムが実行される際に生じる処理結果等を格納するデータ格納領域（図示省略）などを備える。
また、記憶部１４３は、例えば、ＮＶＲＡＭ（Ｎｏｎ  Ｖｏｌａｔｉｌｅ  Ｒａｎｄｏｍ  Ａｃｃｅｓｓ  Ｍｅｍｏｒｙ）等の、記憶内容を更新可能で、かつ、電源を遮断しても記憶内容を保持できる不揮発メモリを備えている。
そして、この記憶部１４３は、後述の番組情報記憶プログラム１４４ｂの実行により作成される不定期テーブル１４６と、確認チャンネルテーブル作成プログラム１４４ｏの実行により作成される確認チャンネルテーブル１４７と、を備えている。
【００２８】
ＲＯＭ（Ｒｅａｄ Ｏｎｌｙ Ｍｅｍｏｒｙ）１４４は、例えば、不揮発性メモリからなり、テレビジョン受像機２００の表示画面２００ａに表示するＯＳＤ表示に関するＯＳＤデータが格納されるデータ格納エリアやプログラム格納エリアを有し、プログラム格納エリアには、番組情報検索プログラム１４４ａと、番組情報記憶プログラム１４４ｂと、受信プログラム１４４ｃと、判断プログラム１４４ｄと、リスト表示制御プログラム１４４ｉと、放送中リスト表示制御プログラム１４４ｊと、確認チャンネル一覧表示制御プログラム１４４ｍと、有料チャンネル一覧表示制御プログラム１４４ｎと、確認チャンネルテーブル作成プログラム１４４ｏと、特定プログラム１４４ｐと、時刻判断プログラム１４４ｑと、一致判断プログラム１４４ｒと、メッセージ表示プログラム１４４ｓと、決定プログラム１４４ｔと、異日時放送検索プログラム１４４ｕと、新旧放送予定日時比較プログラム１４４ｖと、更新記憶プログラム１４４ｗと、等の各種プログラムや、ネットワークごとの各放送チャンネルとその放送チャンネルに対応する放送局名、及び、その放送チャンネルが有料チャンネルであるか否か、の記載された放送チャンネル一覧データ（図示省略）が格納されている。さらに、デジタル放送データのダビング回数に関する保護方式情報を保護方式データ（例えば、各著作権保護方式の名称と、その名称に対応したコピー処理及びムーブ処理可能回数の最大値の一覧データ）を記憶しているため、ＲＯＭ１４４は保護方式情報記憶手段としても機能する。
【００２９】
番組情報検索プログラム１４４ａは、抽出部５により抽出された複数の番組情報より、不定期番組の番組情報を検索する番組情報検索手段である。
つまり、ＣＰＵ１４２は、番組情報検索プログラム１４４ａを実行することにより、後述の確認チャンネル一覧表示制御プログラム１４４ｍ又は有料チャンネル一覧表示制御プログラム１４４ｎの実行によって、ユーザに選択された放送局（放送チャンネル）から送信される複数の番組情報の中から、「編成パターン」が「不定期」と記載された番組情報のみを検索する。
【００３０】
番組情報記憶プログラム１４４ｂは、番組情報検索プログラム１４４ａにより検索された不定期番組の番組情報を、検索対象となったネットワーク名と対応付け、テーブル形式にて記憶部１４３に記憶させる。
つまり、ＣＰＵ１４２は、番組情報記憶プログラム１４４ｂを実行することにより、番組情報検索プログラム１４４ａにより検索された不定期番組の番組情報と、その番組情報を備えるデジタル放送データを送信するネットワークのネットワーク名と、を対応付けた不定期テーブル１４６を、記憶部１４３に記憶する。  
ここで、上記ネットワーク名は、番組情報検索プログラム１４４ａにより不定期番組の番組情報が検索される度に、チューナ部３より出力される所定の信号を受信して取得することが出来る。
また、不定期テーブル１４６は、図２に示すようなデータ項目から構成され、初期状態では各データ項目は空欄になっており、上記番組情報記憶プログラム１４４ｂの実行により抽出部５を介して抽出される、各不定期番組の番組情報の「放送チャンネル」「放送局名」、「番組名」、「タイトル」、「放送予定日時」、「終了時期」、とともに、チューナ部３で特定される「ネットワーク名」が記述される。
なお、「予約状況」は、不定期番組一覧画面５００にて、ユーザにより所定の不定期番組が選択され、リモコン部２を介して録画予約操作がなされ、ＣＰＵ１４２がその入力操作信号を受信すると、「予約済」と記載され、「保護方式（確認）」、「保護方式（方式名）」は、後述の判断プログラム１４４ｄの実行により、「次回放送予定日時」は、更新記憶プログラム１４４ｗの実行により記述される。
【００３１】
異日時放送検索プログラム１４４ｕは、番組情報検索プログラム１４４ａの実行により抽出部５を介して抽出された複数の番組情報から、不定期テーブル１４６に記憶された不定期番組の番組情報と放送予定日時のみ異なる番組情報を検索する異日時放送検索手段である。
つまり、ＣＰＵ１４２が異日時放送検索プログラム１４４ｕを実行すると、不定期テーブル１４６に記憶された不定期番組の番組情報である「放送チャンネル」「放送局名」、「番組名」、「放送予定日時」、「終了時期」の中で、「放送予定日時」以外が一致する番組情報を、番組情報検索プログラム１４４ａの実行により抽出部５を介して抽出された複数の番組情報から検索する異日時放送検索手段として機能する。
つまり、上記抽出部５を介して一度に抽出された複数の番組情報の中から、「放送予定日時」以外が一致する番組情報を検索することにより、次回放送予定の不定期番組の番組情報を取得する可能性を高めることが可能となる。
【００３２】
新旧放送予定日時比較プログラム１４４ｖは、異日時放送検索プログラム１４４ｕにより検索された番組情報の放送予定日時と、不定期テーブル１４６に記憶された番組情報の放送予定日時の新旧を比較するプログラムである。
つまり、ＣＰＵ１４２が新旧放送予定日時比較プログラム１４４ｖを実行することにより、番組情報記憶プログラム１４４ｂの実行により不定期テーブル１４６に記憶された不定期番組の番組情報と「放送予定日時」以外が一致する番組情報が検索された場合に、その検索された番組情報の「放送予定日時」と、不定期テーブル１４６に記憶された番組情報の「放送予定日時」との二つの放送予定日時の新旧を比較することが出来る。
【００３３】
更新記憶プログラム１４４ｗは、新旧放送予定日時比較プログラム１４４ｖにより比較された二つの放送予定日時のうち、旧い放送予定日時を不定期テーブル１４６に記憶された不定期番組の番組情報の「放送予定日時」として、新しい放送予定日時を不定期テーブル１４６に記憶された不定期番組の番組情報の「次回放送予定日時」として、更新記憶するプログラムである。
つまり、ＣＰＵ１４２が更新記憶プログラム１４４ｗを実行することにより、新旧放送予定日時比較プログラム１４４ｖにより比較された二つの放送予定日時のうち、旧い放送予定日時を不定期テーブル１４６に記憶された不定期番組の番組情報の「放送予定日時」として、新しい放送予定日時を不定期テーブル１４６に記憶された不定期番組の番組情報の「次回放送予定日時」として、不定期テーブル１４６を更新記憶する更新記憶手段である。
なお、不定期テーブル１４６のデータ項目として、「放送予定日時」及び「次回放送予定日時」の２回分の不定期番組の放送予定日時を記載する項目が設けられているが、２回分以上の放送予定日時を記載する項目（例えば、「放送予定日時」、「次回放送予定日時」、「次々回放送予定日時」の３回分の放送予定日時）を設け、異日時放送検索プログラム１４４ｕと、新旧放送予定日時比較プログラム１４４ｖと、更新記憶プログラム１４４ｗの実行により、複数回先の放送予定日時まで不定期テーブル１４６に更新記憶し、リスト表示制御プログラム１４４ｉの実行により表示できるものであっても良い。
【００３４】
受信プログラム１４４ｃは、不定期テーブル１４６に記憶された不定期番組の番組情報を備えるデジタル放送データを受信するプログラムである。
つまり、ＣＰＵ１４２は、受信プログラム１４４ｃを実行することにより、番組情報記憶プログラム１４４ｂの実行により記憶された不定期番組の番組情報の「ネットワーク名」「放送チャンネル」に一致するようにネットワーク及びチャンネルを、チューナ部３を介して選択／選局させ、当該デジタル放送データの放送終了までデジタル放送データを受信する受信手段として機能する。
【００３５】
判断プログラム１４４ｄは、受信プログラム１４４ｃによって受信されたデジタル放送データの著作権保護方式を判断する判断手段である。
つまり、ＣＰＵ１４２は、判断プログラム１４４ｄを実行することにより、受信プログラム１４４ｃによって受信されたデジタル放送データのＰＭＴ（ＰＳＩ）を抽出部５により抽出し、その抽出したＰＭＴ内の著作権保護方式を識別する記述子より何れの著作権保護方式が用いられているかを判断する判断手段である。また、受信される一のデジタル放送データには、シーン毎あるいは時間帯毎に異なる著作権保護方式が設定されている可能性があるため、ＣＰＵ１４２が、判断プログラム１４４ｄを実行すると、受信プログラム１４４ｃによりデジタル放送データが所定時間受信される度に、著作権保護方式の判断を行う。
そして、上記著作権保護方式の判断にあっては、その時点までに判断されている著作権保護方式と、新たに判断された著作権保護方式の、それぞれの著作権保護方式ついて定められたコピー処理の実行可能な最大値（例えば、ダビング１０方式ならば９回等）を対比し、両者のうち、上記最大値がより小さい方（即ち、ユーザにとってよりダビングの条件が厳しい方）を、当該デジタル放送データの著作権保護方式として逐次更新していく。
そのため、記憶部１４３の不定期テーブル１４６の「保護方式（方式名）」には、判断プログラム１４４ｄの実行により、「保護方式（確認）」の欄に「済」と記載されるとともに、最終的に更新された著作権保護方式が記載される。
なお、ＣＰＵ１４２は、判断プログラム１４４ｄを実行することにより、保護方式情報としての「保護方式（方式名）」を生成して不定期テーブル１４６に記憶する生成手段としても機能する。
【００３６】
リスト表示制御プログラム１４４ｉは、不定期番組テーブル１４６に基づいて、各不定期番組についての所定の情報を、ネットワークごとに、テレビ受像機２００を介してリストとして表示画面２００ａに一覧表示させるリスト表示制御手段である。
つまり、ＣＰＵ１４２は、リスト表示制御プログラム１４４ｉを実行することにより、不定期番組テーブル１４６を用いて、例えば、図３に示すように、不定期番組一覧画面５００（一例として、ネットワークはＢＳとし、以降の画面でも同様とする）として、テレビ受像機２００の表示画面２００ａにリスト表示する。そして、ボタン／キー機能説明部５００ａに表示されるように、リモコン部２の所定の操作に応じて、ＣＰＵ１４２がリスト表示制御プログラム１４４ｉを実行し、ネットワークごとの表示切換えが可能になっている。
この不定期番組一覧画面５００に表示される、各リスト（各不定期番組）の項目「ＣＨ  Ｎｏ」、「予約状況」、「番組名」、「保護方式（確認）」、「保護方式（方式名）」、「終了時期」、「放送予定日」、「次回放送予定日」は、不定期番組テーブル１４６の中で、「ネットワーク名」がＢＳである不定期番組の、それぞれ「放送チャンネル」、「予約状況」、「番組名」、「保護方式（確認）」、「保護方式（方式名）」、「終了時期」、「放送予定日時」の日付、「次回放送予定日時」の日付、に記載されたものが表示されている。
【００３７】
放送中リスト表示制御プログラム１４４ｊは、テレビ受像機２００の表示画面２００ａに不定期番組一覧画面５００が表示された状態で、リモコン部２の操作に応じて、現在放送中の不定期番組についての所定の情報を、表示画面２００ａに表示制御する。
つまり、ＣＰＵ１４２は、テレビ受像機２００の表示画面２００ａに不定期番組一覧画面５００が表示された状態で、ボタン／キー機能説明部５００ａに表示されるように、ユーザがリモコン部２の「黄ボタン」を押下して、その入力操作信号を受け取ると、放送中リスト表示制御プログラム１４４ｊを実行し、例えば、図４の放送中不定期番組一覧画面５０１に示すように、不定期番組一覧画面５００の各不定期番組の「終了時期」に「終了」と記載された不定期番組を省いて、リストの再描画を実行する。
そのため、リスト数が膨大となり表示が煩雑化し、ユーザが現在も放送されている不定期番組に関する情報だけを知りたい場合等に有効な表示限定手段といえる。
【００３８】
確認チャンネル一覧表示制御プログラム１４４ｍは、テレビ受像機２００の表示画面２００ａに、不定期番組一覧画面５００、放送中不定期番組一覧画面５０１、の何れかの画面が表示された状態で、リモコン部２の操作に応じて、「ＣＨ  Ｎｏ」（放送チャンネル）と「放送局名」を、表示画面２００ａにリストとして表示する。
つまり、ＣＰＵ１４２は、テレビ受像機２００の表示画面２００ａに上記何れかの画面が表示された状態で、ボタン／キー機能説明部５００ａ、５０１ａに表示されるように、ユーザがリモコン部２の「青ボタン」を押下して、その入力操作信号を受け取ると、例えば、図５のチャンネル一覧画面５０５に示すように、ＲＯＭ１４４に格納された放送チャンネル一覧データをリストとして表示することが出来る。
そして、チャンネル一覧画面５０５が表示された状態で、ユーザが所定の放送チャンネルを選択して、リモコン部２の「決定ボタン」を押下することにより、図６の不定期番組確認チャンネル選択画面５０６が表示され、その選択した放送チャンネルを不定期番組が存在するか否かを確認する放送チャンネル（不定期番組確認チャンネル）として選択することが可能となり、前述の番組情報検索プログラム１４４ａによって不定期番組の番組情報が検索される放送チャンネルとなる。
さらに、図６の不定期番組確認チャンネル選択画面５０６において、ユーザが所定の放送チャンネルを不定期番組確認チャンネルとして選択した場合、図７の保護方式確認チャンネル選択画面５０７が表示され、リモコン部２の「決定ボタン」を押下することにより、その選択した放送チャンネル（保護方式確認チャンネル）で放送される不定期番組について、著作権保護方式を確認することが可能になる。
【００３９】
有料チャンネル一覧表示制御プログラム１４４ｎは、テレビ受像機２００の表示画面２００ａに不定期番組確認チャンネル選択画面５０６が表示された状態で、リモコン部２の操作に応じて、有料チャンネルを対象とした、「ＣＨ  Ｎｏ」（放送チャンネル）と「放送局名」を、表示画面２００ａにリスト表示するリスト表示制御手段として機能する。
つまり、ＣＰＵ１４２は、確認チャンネル一覧表示制御プログラム１４４ｍを実行し、テレビ受像機２００の表示画面２００ａに、図６の不定期番組確認チャンネル選択画面５０６が表示された状態で、ユーザがリモコン部２の「赤ボタン」を押下して、その入力操作信号を受け取ると、例えば、図８の有料チャンネル一覧画面５０８に示すように、ＲＯＭ１４４に格納された放送チャンネル一覧データに基づいて、有料チャンネルのみをリストとして表示することが出来る。
そして、この有料チャンネル一覧画面５０８が表示された状態で、確認チャンネル一覧表示制御プログラム１４４ｍが実行された場合と同様に、図９に示す不定期番組確認チャンネル選択画面５０９が表示されると、不定期番組が存在するか否かの確認を行う放送チャンネルの選択が可能となり、図１０に示す保護方式確認チャンネル選択画面５１０が表示されると、図９にて選択した放送チャンネルで放送される不定期番組について著作権保護方式を確認するか否かの選択をすることが出来る。
したがって、不定期番組の存在する可能性の高い有料チャンネルのみを対象としたチャンネル一覧が表示され、上記選択を行うことが出来るので、更なるユーザビリティ向上を図ることが出来る。
【００４０】
確認チャンネルテーブル作成プログラム１４４ｏは、確認チャンネルテーブル１４７を作成し、記憶部１４３に記憶するプログラムである。
つまり、ＣＰＵ１４２が確認チャンネル一覧表示制御プログラム１４４ｍ及び／又は有料チャンネル一覧表示制御プログラム１４４ｎを実行し、所定の放送チャンネルを不定期番組確認チャンネル及び／又は保護方式確認チャンネルとして選択した情報を、確認チャンネルテーブル作成プログラム１４４ｏを実行することにより、図１１に示すような確認チャンネルテーブル１４７として、記憶部１４３に記憶することが出来る。
ここで、確認チャンネルテーブル１４７は、図１１に示すように、「ネットワーク名」、「放送チャンネル」、「不定期番組確認チャンネル」、「次回更新日」、「保護方式確認チャンネル」のデータ項目から構成される。
まず、「ネットワーク名」及び「放送チャンネル」は、ＲＯＭ１４４に格納された放送チャンネル一覧データに基づいて記述される。
次いで、「不定期番組確認チャンネル」、「保護方式確認チャンネル」は、ＣＰＵ１４２の確認チャンネル一覧表示制御プログラム１４４ｍ及び／又は有料チャンネル一覧表示制御プログラム１４４ｎの実行により、「放送チャンネル」が不定期番組確認チャンネル及び／又は保護方式確認チャンネルとして選択された場合に「対象」と記述される。
次いで、「次回更新日」は、不定期番組確認チャンネルが「対象」と記述された放送チャンネルについて、ＣＰＵ１４２が不定期番組情報検索プログラム１４４ａを実行した日付（即ち、その放送チャンネルについて定められた番組情報の発信日）に、番組情報が更新されるまでの所定期間（通常、８日間程度）を足した日付が記載される。
【００４１】
特定プログラム１４４ｐは、現在ユーザの選択しているネットワークと、選局している放送チャンネルを特定するプログラムである。
つまり、ＣＰＵ１４２が、特定プログラム１４４ｐを実行することにより、チューナ部３より、現在選択されているネットワーク及び選局されている放送チャンネルに関する所定の出力信号を受信することにより、現在ユーザの選択しているネットワークと、選局している放送チャンネルを特定する特定手段として機能している。
【００４２】
時刻判断プログラム１４４ｑは、計時部１６により計時される現在時刻が、不定期テーブル１４６に記憶された所定の不定期番組の番組情報の「放送予定日時」より所定時間前にあるか否かを判断するプログラムである。
つまり、ＣＰＵ１４２が、時刻判断プログラム１４４ｑを実行することにより、不定期テーブル１４６に記憶された所定の不定期番組の番組情報の「放送予定日時」を抽出し、計時部１６により計時される現在時刻が、その放送予定日時より所定時間（例えば、１０分等）前にあるか否かを判断する時刻判断手段として機能している。
【００４３】
一致判断プログラム１４４ｒは、時刻判断プログラム１４４ｑにより、所定時間前にあると判断された場合に、特定プログラム１４４ｐにより特定されたネットワークのネットワーク名及び放送チャンネルと、不定期テーブル１４６に記憶された所定の不定期番組の番組情報の「ネットワーク名」及び「放送チャンネル」と、が一致するか否かを判断するプログラムである。
つまり、ＣＰＵ１４２が、一致判断プログラム１４４ｒを実行することにより、ユーザが現在選択しているネットワークのネットワーク名、かつ、選局（視聴）している放送チャンネルが、不定期テーブル１４６に記憶された所定の不定期番組の番組情報の「ネットワーク名」及び「放送チャンネル」と、が一致するか否かを判断する一致判断手段として機能している。
そして、ＣＰＵ１４２が一致していると判断した場合は、受信プログラム１４４ｃにより、その不定期番組の番組情報を備えるデジタル放送データが受信され、一致していないと判断した場合は、メッセージ表示プログラム１４４ｓ（又は決定プログラム１４４ｔ）を実行する。
【００４４】
メッセージ表示プログラム１４４ｓは、一致判断プログラム１４４ｒにより一致していないと判断された場合に、ユーザに不定期テーブル１４６に記憶された所定の不定期番組のネットワークを選択して放送チャンネルに選局を促す旨を、テレビ受像機２００の表示画面２００ａに表示するプログラムである。
つまり、ＣＰＵ１４２が、一致判断プログラム１４４ｒにより一致していないと判断した場合、メッセージ表示プログラム１４４ｓを実行すると、図１２に示すメッセージ表示画面のように、著作権保護方式を確認するために、ユーザに、所定の不定期番組のネットワークの選択及び放送チャンネルの選局を促すメッセージを、所定時間テレビ受像機２００の表示画面２００ａに表示する表示手段として機能している。そして、所定時間内に、ユーザにより所定の不定期番組のネットワークの選択及び放送チャンネルの選局がなされると、ＣＰＵ１４２が受信プログラム１４４ｃを実行し、その不定期番組のデジタル放送データを受信する。
なお、メッセージ表示プログラム１４４ｓは、後述の決定プログラム１４４ｔの実行により、図１３の第２メッセージ表示画面又は図１４の第３メッセージ表示画面を表示させるものであってもよい。
【００４５】
決定プログラム１４４ｔは、メッセージ表示プログラム１４４ｓの実行により、図１３の第２メッセージ表示画面又は図１４の第３メッセージ表示画面を表示させるとともに、ユーザにネットワークの選択及び放送チャンネルの選局を行うか否かを決定させる決定手段である。
すなわち、ＣＰＵ１４２が決定プログラム１４４ｔを実行すると、メッセージ表示プログラム１４４ｓを実行し、図１３の第２メッセージ表示画面又は図１４の第３メッセージ表示画面に示すようなメッセージを表示するととともに、著作権保護方式を確認するために、ユーザにリモコン部２の操作を介して、所定の不定期番組のネットワークの選択及び放送チャンネルの選局を行うか否かを決定させることができる。
そして、ＣＰＵ１４２は決定プログラム１４４ｔの実行により、ユーザによって、所定の不定期番組のネットワークの選択及び放送チャンネルの選局を行うと決定された場合、チューナ部３を介して上記ネットワーク及び放送チャンネルへの切換えを行うため、受信プログラム１４４ｃにより、その不定期番組のデジタル放送データを受信することが可能となる。
【００４６】
計時部１６は、現在時刻を計時し、ＣＰＵ１４２からの制御出力に応じて、計時した現在時刻データを、ＣＰＵ１４２に対して出力する。
【００４７】
ＤＶＤドライブ１８は、例えば、図示は省略するが、ＤＶＤドライブ１８に対して着脱自在なＤＶＤと、ＤＶＤに対するデータの記録及びＤＶＤに記録されたデータの読み出しを行う光ピックアップと、ＤＶＤドライブ１８に装填されたＤＶＤを回転駆動させるとともに光ピックアップをＤＶＤの半径方向に移動させるための駆動部等を備えている。
具体的には、ＤＶＤは、ＤＶＤ−Ｒ（ＤＶＤ−Ｒｅｃｏｒｄａｂｌｅ）等の追記型ディスクや、ＤＶＤ−ＲＷ（ＤＶＤ−ＲｅＷｒｉｔａｂｌｅ）、ＤＶＤ−ＲＡＭ（ＤＶＤ−Ｒａｎｄｏｍ  Ａｃｃｅｓｓ  Ｍｅｍｏｒｙ）等の書き換え可能なディスクである。
このＤＶＤドライブ１８では、記録処理及びコピー処理において、光ピックアップにより、ＤＶＤの反射層にレーザ光を照射し、反射光による加熱により記録層の結晶構造を変化させてピットを形成することにより、ＤＶＤに対するデータの書き込みを行う。つまり、ＤＶＤドライブ１８は、チューナ部３等を介して受信したデジタル放送データや、ディスクドライブ８に記録されたデジタル放送データをＤＶＤに書き込み、記録する。
また、ＤＶＤドライブ１８では、再生処理及びコピー処理において、光ピックアップによりＤＶＤの反射層にレーザ光を照射し、光電変換及び電流電圧変換によって反射光に応じた電圧信号を生成することにより、ＤＶＤに記録されたデジタル放送データの読み出しを行う。
【００４８】
＜確認チャンネル設定処理＞
次に、当該ＨＤＤレコーダ１における、不定期番組確認チャンネル及び保護方式確認チャンネル設定処理について、図１５のフローチャートを参照して説明する。
【００４９】
まず、ＣＰＵ１４２が確認チャンネル一覧表示制御プログラム１４４ｍを実行し、テレビ受像機２００の表示画面２００ａにチャンネル一覧画面５０５が表示されているものとする（ステップＳ１）。
【００５０】
次いで、チャンネル一覧画面５０５が表示された状態にて、ユーザによってリモコン部２の「赤ボタン」が押下された場合（ステップＳ２；Ｙｅｓ）、その入力操作信号がＣＰＵ１４２に入力されると、ＣＰＵ１４２は有料チャンネル一覧表示制御プログラム１４４ｎを実行し、テレビ受像機２００の表示画面２００ａに有料チャンネル一覧画面５０８が表示され（ステップＳ３）、図１６のＡ１に移行する。
一方で、チャンネル一覧画面５０５が表示された状態にて、ユーザによってリモコン部２の「赤ボタン」が押下されていない場合（ステップＳ２；Ｎｏ）、図１６のＡ１に移行する。
【００５１】
Ａ１において、ユーザがリモコン部２を操作して、チャンネル一覧画面５０５又は有料チャンネル一覧画面５０８に表示される放送チャンネルから、所定のチャンネルを選択した場合（ステップＳ４；Ｙｅｓ）、ＣＰＵ１４２の確認チャンネル一覧表示制御プログラム１４４ｍ又は有料チャンネル一覧表示制御プログラム１４４ｎの実行により、不定期番組確認チャンネル選択画面５０６、５０９がテレビ受像機２００の表示画面２００ａに表示される（ステップＳ５）。
【００５２】
次いで、ステップＳ５にて選択した所定のチャンネルを、ユーザが不定期番組確認チャンネルとして選択すると（ステップＳ６；Ｙｅｓ）、ＣＰＵ１４２の確認チャンネル一覧表示制御プログラム１４４ｍ又は有料チャンネル一覧表示制御プログラム１４４ｎの実行により、保護方式確認チャンネル選択画面５０７、５１０がテレビ受像機２００の表示画面２００ａに表示される（ステップＳ７；Ｙｅｓ）。一方で、ステップＳ５にて選択した所定のチャンネルを、ユーザが不定期番組確認チャンネルとして選択しなかった場合（ステップＳ６；Ｎｏ）、ステップＳ４に戻る。
【００５３】
次いで、ステップＳ７にて保護方式確認チャンネル選択画面５０７、５１０が表示された状態で、ステップＳ６；Ｙｅｓにおいて不定期番組確認チャンネルとして選択した放送チャンネルを、ユーザが保護方式確認チャンネルとして選択すると（ステップＳ８；Ｙｅｓ）、チャンネル一覧画面５０５又は有料チャンネル一覧画面５０８において、その選択された放送チャンネルの「不定期番組の確認」、「保護方式の確認」に、「選択」と表示されて放送チャンネルの選択状態の更新がなされ（ステップＳ９）、ステップＳ４に戻る。一方で、ステップＳ７にて保護方式確認チャンネル選択画面５０７、５１０が表示された状態で、ステップＳ６；Ｙｅｓにおいて選択した放送チャンネルを、ユーザが保護方式確認チャンネルとして選択しなかった場合（ステップＳ８；Ｎｏ）、チャンネル一覧画面５０５又は有料チャンネル一覧画面５０８において、その選択された放送チャンネルの「不定期番組の確認」のみが「選択」と表示されて、放送チャンネルの選択状態が更新され（ステップＳ１０）、ステップＳ４に戻る。
【００５４】
そして、ステップＳ４において、チャンネル一覧画面５０５又は有料チャンネル一覧画面５０８に表示される放送チャンネルから、いずれのチャンネルも選択されない場合（ステップＳ４；Ｎｏ）、テレビ受像機２００の表示画面２００ａに有料チャンネル一覧画面５０８が表示されている時（ステップＳ１１；Ｙｅｓ）はＡ２に移行し、有料チャンネル一覧画面５０８ではない時（即ち、チャンネル一覧画面５０５が表示されている時）は、Ａ３に移行する。
【００５５】
Ａ２において、即ち、テレビ受像機２００の表示画面２００ａに有料チャンネル一覧画面５０８が表示された状態において、ユーザが有料チャンネル一覧画面５０８を終了させない（有料チャンネルについての確認チャンネルの設定を継続する）場合は、再びＡ１に移行する（ステップＳ１２；Ｎｏ）。
一方で、ユーザがリモコン部２の「戻る」ボタンを押下して有料チャンネル一覧画面５０８を終了させ（ステップＳ１２；Ｙｅｓ）、チャンネル一覧画面５０５に戻る場合、ＣＰＵ１４２は、確認チャンネル一覧表示制御プログラム１４４ｍを実行し、ステップＳ２に戻る（ステップＳ１３；Ｎｏ）。
さらに、Ａ２において、ユーザがリモコン部２の「メニュー」ボタンの押下等により、有料チャンネル一覧画面５０８及びチャンネル一覧画面５０５の両方を終了させる場合、ＣＰＵ１４２が確認チャンネルテーブル作成プログラム１４４ｏを実行し、確認チャンネルテーブル１４７の記載を、チャンネル一覧画面５０５又は有料チャンネル一覧画面５０８に表示される、不定期番組確認チャンネル及び保護方式確認チャンネルの設定情報に基づいて更新する（ステップＳ１４）。
【００５６】
Ａ３においては、即ち、テレビ受像機２００の表示画面２００ａにチャンネル一覧画面５０５が表示された状態において、ユーザがチャンネル一覧画面５０５を終了させない（放送チャンネルについての確認チャンネルの設定を継続する）場合は、再びＡ１に移行する（ステップＳ１５；Ｎｏ）。一方で、ユーザがリモコン部２の「メニュー」ボタンの押下等により、チャンネル一覧画面５０５を終了させる場合は、ステップＳ１４に進む。
以上により、ＨＤＤレコーダ１において、不定期番組が存在するか否かの確認をするチャンネルの設定、及び著作権保護方式の確認を行うチャンネルの設定がなされる。
【００５７】
＜不定期番組情報検索更新処理＞
次に、当該ＨＤＤレコーダ１における、不定期番組の番組情報の検索更新処理について、図１７のフローチャートを参照して説明する。
【００５８】
まず、ＨＤＤレコーダ１がスタンバイ状態にある時の所定の日時に、ＣＰＵ１４２が確認チャンネルテーブル１４７を参照して、それぞれの不定期番組確認チャンネルの次回更新日と、計時部１６で計時される現在日の比較を行う（ステップＳ１０１）。
【００５９】
次いで、ステップＳ１０１において、ＣＰＵ１４２が、次回更新日が現在日以前（次回更新日が未記入のものも含む）である不定期番組確認チャンネルを検索できた場合（ステップＳ１０２；Ｙｅｓ）、ＣＰＵ１４２は、番組情報検索プログラム１４４ａを実行し、チューナ部３を介して不定期番組確認チャンネルの番組情報を全て取得し（ステップＳ１０３）、そのチャンネルにある不定期番組の番組情報を検索する（ステップＳ１０４）。
【００６０】
次いで、ステップＳ１０４により、不定期番組の番組情報が検索できた場合（ステップＳ１０５；Ｙｅｓ）、ＣＰＵ１４２は、番組情報記憶プログラム１４４ｂを実行することにより、検索された不定期番組の番組情報を不定期テーブル１４６に追加／更新する（ステップＳ１０６）。
一方で、不定期番組の番組情報が検索出来なかった場合（ステップＳ１０５；Ｎｏ）、ステップＳ１１０に移行する。
【００６１】
次いで、ステップＳ１０６において不定期テーブル１４６に不定期番組の番組情報を追加／更新した後、ＣＰＵ１４２は異日時放送検索プログラム１４４ｕを実行し、その不定期番組の番組情報と、放送予定日時のみが異なる番組情報が検索される（ステップＳ１０７）。
【００６２】
次いで、ステップＳ１０７において放送予定日時のみが異なる番組情報が検索された場合（ステップＳ１０８；Ｙｅｓ）、ＣＰＵ１４２は新旧放送予定日時比較プログラム１４４ｖ及び更新記憶プログラム１４４ｗを実行し、その番組情報について、不定期テーブル１４６の「放送予定日時」、「次回放送予定日時」、が更新記憶され（ステップＳ１０９）、ステップＳ１１０に移行する。
一方で、ステップＳ１０７において放送予定日時のみが異なる番組情報が検索されなかった場合（ステップＳ１０８；Ｎｏ）、ステップＳ１１０に移行する。
【００６３】
次いで、全ての不定期番組確認チャンネルについて、次回更新日が現在日以前であるか否かの確認がなされているかが判断される（ステップＳ１１０）。そして、上記確認がなされていない不定期番組確認チャンネルが存在する場合は、ステップＳ１０２に戻り（ステップＳ１１０；Ｎｏ）、Ｓ１０２からＳ１０７までの処理を繰り返す。一方で、上記確認が全ての不定期番組確認チャンネルについてなされた場合は（ステップＳ１１０；Ｙｅｓ）、不定期番組の番組情報の検索更新処理を終了する。
したがって、上記処理により不定期テーブル１４６の更新がなされるため、ＣＰＵ１４２が、リスト表示制御プログラム１４４ｉを実行した場合に、不定期番組一覧画面５００に最新の不定期番組のリストを表示することが出来る。
【００６４】
＜著作権保護方式確認処理＞
次に、当該ＨＤＤレコーダ１における、不定期番組の著作権保護方式確認処理について、図１８のフローチャートを参照して説明する。
【００６５】
まず、ＣＰＵ１４２は、不定期テーブル１４６及び確認チャンネルテーブル１４７を参照する（ステップＳ５０１）。
【００６６】
次いで、ＣＰＵ１４２は、時刻判断プログラム１４４ｑを実行することで、ステップＳ５０１にて参照される不定期テーブル１４６の所定の不定期番組の「次回放送予定日時」が、計時部１６にて計時される現在日時より所定時間前にあるか否かを判断し、かつ、その不定期番組の「放送チャンネル」が、確認チャンネルテーブル１４７の「保護方式（対象）」対象と記載されているか（即ち、保護方式確認チャンネルであるか）否かが判断される（ステップＳ５０２）。
【００６７】
上記不定期番組がステップＳ５０２の条件を満たしている場合（ステップＳ５０２；Ｙｅｓ）、ＨＤＤレコーダ１がスタンバイ状態にあるか否かを判断する（ステップＳ５０３）。
そして、ＨＤＤレコーダ１がスタンバイ状態にある場合（ステップＳ５０３；Ｙｅｓ）、Ｂ１に移行する。
【００６８】
一方で、上記不定期番組がステップＳ５０２の条件を満たしていない場合（ステップＳ５０２；Ｎｏ）、ステップＳ５０５に移行する。
【００６９】
また、ＨＤＤレコーダ１がスタンバイ状態に無い場合（ステップＳ５０３；Ｎｏ）、ＣＰＵ１４２が、一致判断プログラム１４４ｒを実行し、ステップＳ５０２において判断された所定の不定期番組の放送チャンネルを、ユーザが現在視聴（選局）しているか否かが判断される（ステップＳ５０４）。そして、ＣＰＵ１４２が、ユーザが現在視聴（選局）していると判断した場合（ステップＳ５０４；Ｙｅｓ）、Ｂ１に移行し、その一方で、異なる放送チャンネルをユーザが選局していると判断した場合（ステップＳ５０４；Ｎｏ）、Ｂ２に移行する。
【００７０】
そして、このＢ１及びＢ２の処理が終了した場合、また、ステップＳ５０２の条件を満たしていない場合（ステップＳ５０２；Ｎｏ）、不定期番組テーブル１４６に記載の全ての不定期番組について、ステップＳ５０２の確認がなされたか否かを判断し、未確認の不定期番組が存在する場合（ステップＳ５０５；Ｎｏ）、不定期番組テーブル１４６から異なる不定期番組を抽出してＳ５０２以降の処理を繰り返し、全ての不定期番組が確認されている場合（ステップＳ５０５；Ｙｅｓ）、著作権保護方式確認処理を終了する。
【００７１】
（Ｂ１処理について）
Ｂ１においては、図１９に示されるように、ステップＳ５０２にて判断された所定の不定期番組の著作権保護方式の確認処理がなされる。
つまり、ステップＳ６０１において、ＣＰＵ１４２が受信プログラム１４４ｃを実行することにより、ステップＳ５０２にて判断された所定の不定期番組（デジタル放送データ）の受信を開始する（ステップＳ６０１）。
そして、ＣＰＵ１４２が判断プログラム１４４ｄを実行することにより、ステップＳ６０１により所定の不定期番組が受信されると、著作権保護方式の判断がなされる（ステップＳ６０２）。
そして、ＣＰＵ１４２は上記所定の不定期番組の受信が終了したか否かの判断を行い（ステップＳ６０３）、終了していない場合（ステップＳ６０３；Ｎｏ）は、ステップＳ６０２以降の処理を繰り返し実行する。
一方で、ＣＰＵ１４２が受信を終了したと判断する（ステップＳ６０３；Ｙｅｓ）と、不定期テーブル１４６の「保護方式（方式名）」及び「保護方式（確認）」の欄が更新される（ステップＳ６０４）。
【００７２】
（Ｂ２処理について）
Ｂ２においては、図２０に示されるように、ステップＳ５０２において判断された所定の不定期番組の放送チャンネルとは異なるチャンネルをユーザが選局している場合に、ユーザに不定期番組の放送チャンネルに選局するように促す処理を行う。
つまり、ＣＰＵ１４２が、メッセージ表示プログラム１４４ｓを実行し、図２０に示されるように、テレビ受像機２００の表示画面２００ａに、著作権保護方式を確認するために、所定の不定期番組のネットワークの選択及び放送チャンネルの選局を促すメッセージを表示する（ステップＳ７０１ａ）。
そして、ＣＰＵ１４２は、リモコン部２からの入力操作信号により、ユーザによって所定時間内に不定期番組の放送されるネットワーク及びチャンネルに切換えられたか否かが判断され（ステップＳ７０２ａ）、所定時間内に切換えられた場合（ステップＳ７０２ａ；Ｙｅｓ）はＢ１に移行し、所定時間内に切換えられない場合（ステップＳ７０２ａ；Ｎｏ）はＢ２を終了する。
【００７３】
なお、上記Ｂ２処理は、図２０に示されるように、ステップＳ５０２において判断された所定の不定期番組の放送チャンネルとは異なるチャンネルをユーザが選局している場合に、ユーザに不定期番組の放送チャンネルに選局するか否かを決定させる処理であっても良い。
つまり、ＣＰＵ１４２が、決定プログラム１４４ｔを実行すると、メッセージ表示プログラム１４４ｓの実行により図１３又は図１４に示されるように、テレビ受像機２００の表示画面２００ａに、著作権保護方式を確認するために、所定の不定期番組のネットワークの選択及び放送チャンネルの選局を行うか否かを決定するメッセージを表示する（ステップＳ７０１ｂ）。
そして、ＣＰＵ１４２は、不定期番組の放送される放送チャンネルへの切換えがユーザによって選択された場合（ステップＳ７０２ｂ；Ｙｅｓ）、Ｂ１に移行し、Ｂ１終了後に切換える前の放送チャンネルに戻し（ステップＳ７０３ｂ）、Ｂ２を終了する。
一方で、ＣＰＵ１４２は、所定時間内に不定期番組の放送される放送チャンネルへの切換えがユーザによって選択されなかった場合（ステップＳ７０２ｂ；Ｎｏ）、Ｂ２を終了する。
【００７４】
以上説明した本実施形態のＨＤＤレコーダ１によれば、番組情報検索プログラム１４４ａ及び不定期番組記憶プログラム１４４ｂの実行により、抽出部５を介して複数の番組情報から不定期番組の番組情報を検索して不定期番組テーブル１４６に記憶し、異日時放送検索プログラム１４４ｕ、更新記憶プログラム１４４ｗの実行により、その番組情報と放送予定日時のみ異なる番組識別情報を検索し、その検索された番組識別情報の放送予定日時は、不定期番組テーブル１４６の「放送予定日時」「次回放送予定日時」の何れかとして更新記憶される。そして、リスト表示制御プログラム１４４ｉの実行により、不定期番組一覧画面５００に示されるように、その不定期番組の番組情報と、「放送予定日時」「次回放送予定日時」と、が対応付けられて、リストとして一覧表示することが出来る。
【００７５】
つまり、ＨＤＤレコーダ１は、編成パターンが不定期な番組の番組情報を事前に取得し、ユーザに、その番組の番組名及び放送予定日時だけでなく、次回放送予定日時もあわせて表示する記録再生装置であると言える。
【００７６】
また、ＨＤＤレコーダ１は、受信プログラム１４４ｃの実行により、不定期テーブル１４６に記憶された、不定期番組の番組情報と同じ番組情報を備えたデジタル放送データを受信して、判断プログラム１４４ｄの実行により、そのデジタル放送データの著作権保護方式を判断し、リスト表示制御プログラム１４４ｉの実行により、その不定期番組の番組情報と、「放送予定日時」「次回放送予定日時」と、に加えて、「保護方式（名称）」を一覧表示させることが出来る。
【００７７】
つまり、ＨＤＤレコーダ１は、不定期番組について採用される著作権保護方式を特定し、放送予定日時のみならず、その特定した著作権保護方式をユーザに報知することが出来るので、ユーザは不定期番組を録画予約する際の有用な情報を取得することが出来る。
【図面の簡単な説明】
【００７８】
【図１】本発明にかかるＨＤＤ１の要部構成を示すブロック図である。
【図２】本発明における不定期テーブル１４６を示す図である。
【図３】本発明における不定期番組一覧画面５００を示す図である。
【図４】本発明における放送中不定期番組一覧画面５０１を示す図である。
【図５】本発明におけるチャンネル一覧画面５０５を示す図である。
【図６】本発明における不定期番組確認チャンネル選択画面５０６を示す図である。
【図７】本発明における保護方式確認チャンネル選択画面５０７を示す図である。
【図８】本発明における有料チャンネル一覧画面５０８を示す図である。
【図９】本発明における不定期番組確認チャンネル選択画面５０９を示す図である。
【図１０】本発明における保護方式確認チャンネル選択画面５１０を示す図である。
【図１１】本発明における確認チャンネルテーブル１４７を示す図である。
【図１２】本発明におけるメッセージ表示画面を示す図である。
【図１３】本発明における第２メッセージ表示画面を示す図である。
【図１４】本発明における第３メッセージ表示画面を示す図である。
【図１５】本発明における確認チャンネル設定処理を示すフローチャートである。
【図１６】本発明における確認チャンネル設定処理を示すフローチャートである。
【図１７】本発明における不定期番組情報検索更新処理を示すフローチャートである。
【図１８】本発明における著作権保護方式確認処理を示すフローチャートである。
【図１９】本発明における著作権保護方式確認処理を示すフローチャートである。
【図２０】本発明における著作権保護方式確認処理を示すフローチャートである。
【符号の説明】
【００７９】
１            ＨＤＤレコーダ
３            チューナ部
５            抽出部（抽出手段）
８            ディスクドライブ
１０          デコーダ
１１          出力インターフェース部
１４          制御部
１４２        ＣＰＵ（受信手段、判断手段、番組情報検索手段、番組情報記憶手段、異日時放送検索手段、更新記憶手段、リスト表示制御手段）
１４３        記憶部
１４４        ＲＯＭ（保護方式情報記憶手段）
１４４ａ      番組情報検索プログラム（番組情報検索手段）
１４４ｂ      番組情報記憶プログラム（番組情報記憶手段）
１４４ｃ      受信プログラム（受信手段）
１４４ｄ      判断プログラム（判断手段、生成手段）
１４４ｉ      リスト表示制御プログラム（リスト表示制御手段）
１４４ｕ      異日時放送検索プログラム（異日時放送検索手段）
１４４ｗ      更新記憶プログラム（更新記憶手段）
１４６        不定期番組テーブル
２００        テレビジョン受像機（表示手段）
５００        不定期番組一覧画面
【図１】
2010056862.tif 000003
【図２】
2010056862.tif 000004
【図３】
2010056862.tif 000005
【図４】
2010056862.tif 000006
【図５】
2010056862.tif 000007
【図６】
2010056862.tif 000008
【図７】
2010056862.tif 000009
【図８】
2010056862.tif 000010
【図９】
2010056862.tif 000011
【図１０】
2010056862.tif 000012
【図１１】
2010056862.tif 000013
【図１２】
2010056862.tif 000014
【図１３】
2010056862.tif 000015
【図１４】
2010056862.tif 000016
【図１５】
2010056862.tif 000017
【図１６】
2010056862.tif 000018
【図１７】
2010056862.tif 000019
【図１８】
2010056862.tif 000020
【図１９】
2010056862.tif 000021
【図２０】
2010056862.tif 000022